(57)【要約】粘着パッチが提供され、粘着パッチはラベル接着剤を備えた接着領域と接着剤のないボイド領域とを有する。
2018533083.tif 000002
【特許請求の範囲】
【請求項１】
接着剤を備えた接着領域と接着剤のないボイド領域とを有すること
を特徴とする粘着ラベル。
【請求項２】
粘着ラベル内の接着領域の表面積が、ボイド領域のボイド表面積より大きいこと
を特徴する請求項１記載の粘着ラベル。
【請求項３】
粘着ラベル内の接着領域の表面積が、ボイド領域のボイド表面積より小さいこと
を特徴する請求項１記載の粘着ラベル。
【請求項４】
粘着ラベル内の接着領域の表面積が、ボイド領域のボイド表面積とほぼ同じであること
を特徴する請求項１記載の粘着ラベル。
【請求項５】
接着領域がボイド領域の全て又は一部を包囲しかつ輪郭を描いていること
を特徴する請求項１記載の粘着ラベル。
【請求項６】
ボイド領域が、粘着ラベル内で互いに交差しない二つ又はそれ以上のサブボイド領域を備えていること
を特徴する請求項１記載の粘着ラベル。
【請求項７】
接着領域の一部が、接着領域の残りの一部から分離していること
を特徴する請求項１記載の粘着ラベル。
【請求項８】
接着領域の一部が、ボイド領域によって包囲しかつ輪郭を描いていること
を特徴する請求項７記載の粘着ラベル。
【請求項９】
接着領域の一部分が、ラベルの中心に位置していること
を特徴する請求項８記載の粘着ラベル。
【請求項１０】
接着剤が、高粘着性接着剤、高粘着性感圧接着剤及び感圧接着剤の一つであること
を特徴する請求項１記載の粘着ラベル。
【請求項１１】
接着領域の一部が、ラベルの周囲の輪郭を決めていること
を特徴する請求項１記載の粘着ラベル。
【請求項１２】
接着剤を備えた接着領域と接着剤のないボイド領域とを有する粘着パッチを基板の裏面にプレスすることから成ること
を特徴とする方法。
【請求項１３】
さらに、基板のラベル裏面に施した、接着剤を備えた接着領域と接着剤のないボイド領域とを有した粘着パッチを各々有する複数のラベルのウエブを、プレスを介して施す処理を含むことを
を特徴とする請求項１２記載の方法。
【請求項１４】
処理がさらに、プレスを通して処理した各処理ラベルについて、接着領域及びボイド領域の寸法及び位置を変えること
を特徴とする請求項１３記載の方法。
【請求項１５】
さらに、接着領域の一部が、ボイド領域によって包囲されかつ輪郭を決められるように少なくとも接着剤の一部を設けること
を特徴とする請求項１２記載の方法。
【請求項１６】
さらに、接着領域の一部をラベルの中心に施すこと
を特徴とする請求項１５記載の方法。
【請求項１７】
さらに、ラベルの中心の少なくとも一部と交差させながらラベルの中心からずらしてボイド領域を位置決めすること
を特徴とする請求項１２記載の方法。
【請求項１８】
サーマルプリンターを用いてレシートを表すラベルの第一側に画像形成すること、及び
サーマルプリンターを用いてレシートの第二側において粘着パッチを活性化すること
を含み、粘着パッチが、接着剤を備えた接着領域と、接着剤のないボイド領域とを含んでいること
を特徴とする方法。
【請求項１９】
さらに、活性化粘着パッチをアイテム（物品）に設けること
を特徴とする請求項１８記載の方法。
【請求項２０】
アイテム（物品）が、製品用のパッケージ材料又はコンテナー材料であること
を特徴とする請求項１８記載の方法。
【発明の詳細な説明】
【技術分野】
【０００１】
本発明は、ボイドを備えた粘着パッチに関するものである。
【背景技術】
【０００２】
特殊な応用を含む種々の応用に使用するために、無数の形態において、遍在する粘着ラベルが利用できる。代表的な粘着ラベルは、それらの裏面に感圧性接着剤を備え、そして下層の剥離ライナーに最初に積層される。
【０００３】
粘着ラベルは、個々のシート、或いは扇形に折り畳んだスタックに一緒に接合して、或いはまた連続したロール（ウエブ）において見出すことができる。ラベルを大量に必要とする商用の応用において、通常はラベルロールが用いられる。
【０００４】
接着剤に基づく印刷応用における課題は、ラベルに塗布した非常に多くの接着剤が、印刷運転中に、プリンターの機械的コンポーネント（構成要素）へ集めるのに時間を要すことにある。そのため、プリンターを介して供給される接着剤コーティングを備えたあらゆるラベルは、印刷品質と干渉したりプリンターを詰まらせたりし得る。
【０００５】
さらに、粘着ラベルロールの製造中は、各ラベルにおいて同量の粘着パッチを同じ部位に繰り返し施すため、ウエブをリールに巻き取る際にウエブ及び／又はリッジにしわが生じることになる。
【０００６】
さらにまた、ラベルを（印刷後及びウエブから外した後）品物に貼る際に、ラベルは、それらの外周部に沿ってまくれ上がり（はみ出し）が生じ、その結果、幾つかの場合には、ラベルを張る品物から剥がれ落ちることになる。ある場合には、これらのタイプの問題のあるラベルは、また、コーヒー用カラーが、カップに適切に嵌まるのをラベルの剥がれが阻止する場合に、コーヒー用カラーがコーヒーカップ（一杯のコーヒー）をスリップするように、品物に添付された他の材料にも干渉させ得る。
【０００７】
従って、改良型の粘着パッチを提供することが望まれる。
【発明の概要】
【発明が解決しようとする課題】
【０００８】
種々の実施形態において、一つ以上のボイドを備えた粘着パッチ及びパッチをラベルに張り付ける方法が提供される。
【課題を解決するための手段】
【０００９】
一つの実施形態によれば、粘着パッチが提供される。粘着パッチは、接着剤を備えた接着領域と接着剤のない領域（本願では、「ボイド」という）とが含まれる。
【図面の簡単な説明】
【００１０】
【図１】図１Ａは、本発明の実施形態による、ウエブにおけるラベルに貼ったスタガリング（互い違い配置した）ボイドを備えた粘着パッチを示す線図。図１Ｂは、本発明の実施形態による、ウエブにおけるラベルに貼ったスタガリングボイドを備えた別の粘着パッチを示す線図。図１Ｃは、本発明の実施形態による、ウエブにおけるラベルに貼った粘着パッチは、少量の接着剤をボイド領域に施したボイドを備えた別の粘着パッチを示す線図。
【図２】本発明の実施形態による、ボイドを備えた感圧高粘着性粘着ラベルを施すサーマルプリンターを示す斜視図。
【図３】本発明の実施形態による、ライナーレスラベルを示す断面図。
【図４】本発明の実施形態による、印刷テキストを含む図３のライナーレスラベルの第二面を示す図。
【図５】本発明の実施形態による、ボイドをもつ活性化した接着剤のストリップを含む図３のライナーラベルの第一面を示す図。
【図６】本発明の実施形態による、ボイドをもつ粘着パッチを貼りつける装置の例を示す図。
【図７】本発明の実施形態による、ボイドをもつ粘着パッチを備えたラベルを印刷する両面サーマルプリンターの例を示す図。
【発明を実施するための形態】
【００１１】
以下に一層詳しく説明するように、ボイド（単数又は複数個）を備えた接着剤は、プリンターに対する給紙及びサーマル印刷ラベル、ライナーレスラベル並びに関連製品のその他の性能や処理性能を改善する。
【００１２】
用語“粘着性メディア”とは、サーマルトップコーティング（すなわち加熱した際に暗色化し、“サーマルコーティング”として知られたコーティング）及び基板の反対側に被覆した感圧接着剤（ＰＳＡ）を特徴とする紙製品（ラベル又はライナーレスラベル）を指すものである。サーマル被覆引張面は、反撥面エネルギーシリコーン（又はシリコーンなし（水性）の剥離剤／混合物）でオーバーコート（保護被覆）され、紙を、ピッキングしたりメディアにおける他の製品に欠陥を生じさせることなしにロールに巻き取る際に、それ自体から剥離するようにしている。
【００１３】
ここで説明したボイドを備えた粘着パッチは、添加する接着剤の量を一定に保ちながらラベル（レシートのようなしかしそれに限定されない）の裏面の広範囲にタックを分布させることができる。同じ周長のソリッド粘着パッチと比べて、（本明細書に記載したような）ボイドを備えた粘性パッチは、粘着ボイドパッチカウンター（小片）がプリンター内でボイドのないソリッド粘着パッチにおいて生じる結合を増大させながら、ラベルを描く際にプリンター内の許容性能を維持する。
【００１４】
さらに、比較的小さなソリッド粘着パッチと違って、一つ以上の内部ボイドをもつ比較的大きな粘着パッチは、ラベルの裏面に総粘着剤量をより良く分配でき、そしてラベルがパッケージや品物に貼られる際に、ラベル（レシートのような）の周囲に沿ってカールの“フラッピング”、“フラッギング”、“フレアリング”、“リッピングアップ”をラベルが受ける傾向を防ぐ。
【００１５】
本明細書で説明した粘着ボイドパッチは、ラベルの裏面に必要な接着剤を少なくして全対象範囲のラベル機能をもたらす。これにより、ラベルのウエブを製造する際に必要な接着剤のコストを下げることで価値が生まれ、また、ラベル毎に用いる接着剤が少ない、比較的環境にやさしい応用がもたらされる。
【００１６】
さらに、パッチ毎にボイド領域を互い違いに配置することにより、ボイドと整列した縦方向におけるしわ形成の傾向を抑えることでマシン安定性が改善される。
【００１７】
本発明で説明した一つ以上のボイドをもつ粘着パッチは、印刷媒体の表面に張られる。一実施形態では、ボイドを備えたこれらのパッチは、種々の寸法の任意の幾何学的形状のものでもよく、種々のパターンに貼られ得る。
【００１８】
一実施形態では、一つ以上のボイドをもつ粘着パッチは、粘性の強い感圧接着剤を使用する。
【００１９】
一実施形態では、一つ以上のボイドを備えた粘着パッチは、任意の感圧接着剤を使用する。
【００２０】
本発明で説明したボイド領域を作った粘着パッチは、従来の小さな粘着パッチ応用において用いた比較的少量の接着剤を利用しながら、ラベル周囲の近くに比較的大きな裏面の接着剤カバーエリアを可能にすることによって、優れたラベルを製造することができる。その結果、必要とされる接着剤の量を少なくでき、製造コストを低減できるようになる。
【００２１】
図１Ａは、本発明の一実施形態による、ウエブにおけるラベルに設けたスタガリング（互い違い配置した）ボイドをもつ粘着パッチを示す線図である。粘着パッチ（白色の楕円形ボイドをもつ灰色領域）の外周部は、ラベル外周部の近くに（図１Ａのウエブにおける各ラベルは背側の矩形センスマークで分離されている）ある。粘着パッチのボイド領域は、ラベルの中央で交差しているが、ラベルの中央は完全には重なっていない。さらに、ボイド領域の位置はラベル毎に変化し、第一ラベルは、ラベルの中心の周りで右にずれたボイド領域を備え、第二ラベルは、ラベルの中心の周りで左にずれたボイド領域を備え、また第三ラベルは、第一ラベルの場合と同様にずれたボイド領域を備えている。
【００２２】
粘着パッチにおけるボイド領域は、ラベル毎に変化し、ボイド中心が完全に重なるのを避け、しかもなお、中心の少なくとも一部と交差し、結果としてマシンの巻戻し端部において最適なマシン性能が得られる。ボイドが全て整列している場合に、巻戻しリールは縦方向に走行する接着剤パターンに沿ってパッチの横方周囲部を画定している接着剤の領域にリッジ（細長い隆起部）を形成させる。これらのリッジはロールを不安定化させる。
【００２３】
さらに、ボイドを備えた粘着パッチとラベル周囲部との間にマージン（余白部）なしで必要とする接着剤を少なくでき、これにより、ラベルをプリンターで描き、ロールから外した後、レシートとしてパッケージに貼りつける際に良好な接着ができ、フラッギング及びフレアリングを減少できる。
【００２４】
さらにまた、ウエブの製造中に用いる接着剤が少ないので、ウエブの長さに沿って接着剤の集中がなく、ウエブ（ロール）は、普通に製造した従来のロールより柔らかくでき、本発明によるウエブは、小売業環境におけるレシート印刷中にプリンターによって比較的容易に巻き戻すことができる。これにより、プリンターやプリンターコンポーネントにおける摩耗や裂け目を少なくできる。
【００２５】
ボイド付き粘着パッチラベルをウエブに製造する際に、従来の粘着パッチ応用の場合より使用する接着剤が少ないので、殆ど乾燥用エネルギーは必要としない。すなわち、ラベルにおける粘着パッチを乾燥するのに要する熱量又は時間は、パッチあたりに使用する接着剤の量の関数であり、そして本発明によりパッチあたりの接着剤が少ないので、従来技術の場合よりラベル製造中に必要な熱及び／又は乾燥用時間は少なくなる。
【００２６】
図１Ｂは、実施形態によれば、ウエブにおけるラベルに適用した、互い違いに配置したボイドをもつ別の粘着パッチの線図である。図１Ｂに例示されているように、単一の粘着パッチ内に多数のボイドが示されている。
【００２７】
図１Ｃは、実施形態によれば、ウエブにおけるラベルに適用され、ボイド領域に少量の接着剤を塗布したボイドをもつ粘着パッチの線図である。
【００２８】
図１Ｃのボイドをもつ粘着パッチは、ボイドの中心部内に少量の接着剤を含んでいる（図１Ｃにおける暗色化した菱形部、白色領域はボイド領域であり、暗色化した領域は接着領域である）。
【００２９】
付加的な量の接着剤を塗布した、ボイド領域をもつ粘着パッチのレイアウト（図１Ｃに示すように）は、パッケージに固定した時にラベルのバブリングを防ぐ。
【００３０】
実施形態において、一つ以上のボイドを備えた粘着パッチ内の接着剤のカバーエリアは、ボイドのカバーエリアより大きい（図１Ａに示すように）。
【００３１】
実施形態において、一つ以上のボイドを備えた粘着パッチ内の接着剤のカバーエリアは、ボイドのカバーエリアより小さい（図１Ｂに示すように）。
【００３２】
実施形態において、一つ以上のボイドを備えた粘着パッチ内の接着剤のカバーエリアは、ボイドのカバーエリアと実質的に同じである。
【００３３】
実施形態において、一つ以上のボイドを備えた粘着パッチ内のボイドの幾何学的形状は、ラベルのウエブの製造中に相対でき、ラベル毎に変化する。
【００３４】
図２は、本発明の実施形態による、一つ以上のボイドを備えた粘着パッチを有する感圧ラベルを供給するサーマルプリンターの図である。図２を参照すると、プリンター１０は、典型的なファストフード応用に用いられる個々のラベル１２を順次印刷するように構成されている。例えば、フードは例示した紙箱のような適当なフードパッケージ１４又は単純な包装紙に入れられ得る。プリンター１０は、単面又は両面型サーマルプリンターのようなサーマルプリンター（図６に示すように）を備え得る。
【００３５】
プリントすなわち識別印字１６は、例えばパッケージの内容物を識別するためにプリンター１０においてラベル１２に印刷される。個々の印刷ラベル１２はプリンター１０から外され、一つ以上のボイドを備えた粘着パッチ３８を用いて（（ボイドを備えた粘着パッチ）を用いて１２にラベルを貼りつけるために１２は１０から１６へ印刷する））方法において例示したようにフードパッケージ１４に貼られ得、これは図２に示される。
【００３６】
一つ以上のボイドを備えた粘着パッチ３８は、図２には原寸では示されてなく、パッチ３８は、図２に示すものよりラベル１２の裏面の大きな表面積をカバーしていることが認められるべきである。さらに、パッチ３８は図１Ａ〜図１Ｃに示すような一つ以上のボイドを備えている。
【００３７】
図３〜図５には、本発明の実施形態による、一側に画像形成用材料を含む印刷可能な表面を、他側に剥離被覆層を備えた熱活性化接着性表面を有するライナーレスラベル１００が例示されている。他のタイプのラベルも想定されることが認められるべきである。
【００３８】
図３は、一実施形態による、一つ以上のボイドを備えた粘着パッチを有するライナーないしラベルの横断面図である。
【００３９】
図３を参照すると、ライナーレスラベル１００は、基板１０２と、サーマルプリント層１０４と、一つ以上のボイドを備えた熱活性化粘着層１０６と、剥離コーティング層１０８とを含む複数の層から成っている。一つ以上のボイドを備えた粘着層１０６は、基板１０２の第一面１１２上に位置し、またプリント層１０４は、プリント層１０４の基板１０２の第二面１１４上に位置している。剥離コーティング層１０８はプリント層１０４の表面１１６上に位置している。粘着層１０６は、一つ以上のボイド領域（任意の接着剤又は接着剤混合物のない領域）を備えた接着剤又は接着剤混合物から成る粘着パッチを有している。
【００４０】
幾つかの実施形態では、基板は、基板の一側における活性材料から基板の他側に加えた熱を阻止するために、耐熱性があってもよい。
【００４１】
ライナーレスラベル１００は、ロールに巻き取られ得る。一つ以上のボイドを備えた粘着層１０６は、剥離コーティング層１０８と接触し、それにより粘着層１０６とプリント層１０４又は下側の基板１０２との間の粘着性を最少化している。
【００４２】
プリント層１０４は、サーマル画像形成用物質の一つ以上の層を備えることができる。例えば、プリント層１０４は、熱転写印刷に適した熱転写受容性コーティング層を備えることができる。代わりに又は加えて、プリント層１０４は加熱時に変色するようにされる一つ以上の感熱コーティング層を有してもよく、それにより直接感熱式プリントが行われる。
【００４３】
一つ以上のボイドを備えた粘着層１０６は、接着剤を含めてもよく、そして印刷機を用いてパッチに（上述した任意の方法で）付加され得る。
【００４４】
別のプリント層１０４を用いる代わりに、基板１０２は熱変色紙から成ることができる。サーマル印刷ヘッドは、基板に付加的なプリント層を形成する必要なしに熱変色紙に可視パターンを印刷できる。
【００４５】
図４には、一実施形態によれば、模範印刷又は画像形成したテキストを含む図３のライナーレスラベルの第二面が示されている。
【００４６】
すなわち、図４には、印刷後のライナーレスラベル１００の第二面２０２の一例を示している。この例では、ラベル１００はファストフードの食事レシートである。図３に示すように、ライナーレスラベル１００の第二面２０２には、例えばプリント層１０４における一つ以上の感熱混合物の直接熱印刷によって取引情報が印刷されている。
【００４７】
図５には、一実施形態にかかる、活性化接着剤のストリップを有する図３のライナーレスラベルの第一面を示している（少なくとも一つの隣接部位にはストリップ内の任意の接着剤がない）。
【００４８】
第一面３０２は、熱活性化接着剤の粘着性ストリップ３１０の形態のウエット接着部を備え（ウエット接着部のないボイドを備えている）そして例えばサーマル印刷ヘッドによって活性化されている。この実施形態では、粘着性ストリップ３１０は、フードの関連バッグや一杯のコーヒーにレシートを張り付けるのに用いることができる。その結果、レシートを付けたバッグ又はカップは顧客が同時に処理できる。
【００４９】
粘着性ストリップ３１０は、少なくとも二つの異なる方法のいずれかで形成できる。第一の方法では、基板１０２の第一面１１２の全体は、活性化前にはドライかつ非粘着性であるボイド領域をもつ熱活性化接着剤によって覆うことができる。それで、ストリップ３１０を画定する熱活性化接着剤の単に選択した部分は、サーマル印刷ヘッドによる加熱によって活性化される。実施形態に応じて、かかる活性化は、レシートの第二面２０２に取引情報が印刷された時に又はそれとほぼ同時に或いはその後のある時期に生じ得る。第二の方法では、一つ以上のボイド領域３１０をもつストリップを画定する第一面３０２の一部は、使用前には乾燥した非粘着性である熱活性化接着剤で覆われ得る。熱活性化接着剤の全体は、サーマル印刷ヘッドによって活性化でき、この活性化は、実施形態に応じて、レシートの第二面２０２に取引情報が印刷された時に又はそれとほぼ同時に或いはその後のある時期に生じ得る。いずれの方法でも結果として、一つ以上のボイド付き領域３１０を備えた粘着性ストリップが得られることになる。両面型サーマルプリンターが用いられる場合には、第一サーマル印刷ヘッドはレシートの第二面２０２に印刷でき、一方、第二サーマル印刷ヘッドはレシートの第一面３０２に印刷できる。
【００５０】
基板は、原紙、単層コート紙、複層コート紙、感熱コート紙、上質コート紙（サーマルコーティングを通して）、フィルム、或いは複数のコート紙を受け取れる任意の他の基板のような紙である。
【００５１】
図６には、実施形態によれば、いかなる接着剤もない一つ以上のボイド領域を備えた粘着パッチを適用する装置の一例が示されている。
【００５２】
プレス４００が例示されている。例示されたプレスはフレキソ印刷またはフレキソ“ｆｌｅｘｏ”印刷機である。
【００５３】
図７には、実施形態によれば、いかなる接着剤もない一つ以上のボイド領域を備えた粘着パッチを有するラベルに印刷する両面型サーマルプリンターが例示されている。
【００５４】
例示された両面型サーマルプリンターは、第一印刷ヘッド組立体５１０、第二印刷ヘッド組立体５２０及びモータを有している。第一印刷ヘッド組立体５１０は、第一印刷ヘッド５５０及び第一軸５９０の周りで回転可能な第一プラテン５７０を備えている。同様に、第二印刷ヘッド組立体５２０は、第二印刷ヘッド５６０及び第二軸６００の周りで回転可能な第二プラテン５８０を備えている。
【００５５】
両面型サーマルプリンターの動作中、モータは第一及び第二軸５９０、６００を駆動して、第一及び第二プラテン５７０、５８０を回転させる。従って、ラベル５００がプリンター内に供給されると、第一及び第二プラテン５７０、５８０の回転により、ラベル５００は垂直矢印で示す方向に押される。ラベル５００がプリンターを通過する際に、第一印刷ヘッド５５０及び第二印刷ヘッド５６０はラベル５００の二つの側部を選択的に加熱して印刷動作を行う。一層特に、第一印刷ヘッド５５０は、矢印６１０で示すラベル５００の側部に印刷動作し、また第二印刷ヘッド５６０は、矢印６２０で示すラベル５００の側部に印刷動作する。
【００５６】
実施形態において、付加した接着剤（いかなる接着剤もない一つ以上のボイド領域を備えた）は、基板に塗布されると、感圧接着剤となる。かかる場合に、限定されるものではないが、紙／ホイルラップ、段ボール箱、クラムシェル、フリーズスリーブ、カップなどのような顧客のアイテムにレシートを貼るために顧客の位置情報で接着剤に圧力が加えられ得る。
【００５７】
特にある好ましい実施形態について本発明を説明してきたが、特許請求の範囲の記載の範囲内で本発明の変形が可能である。
【図１】
2018533083.tif 000003
【図２】
2018533083.tif 000004
【図３】
2018533083.tif 000005
【図４】
2018533083.tif 000006
【図５】
2018533083.tif 000007
【図６】
2018533083.tif 000008
【図７】
2018533083.tif 000009
【国際調査報告】
2018533083.tif 000010